(57)【要約】【課題】  少なくとも一部が透明な部材で形成された遊技板の裏面側に、表示装置が配置されることにより、遊技の興趣を向上させるとともに、表示装置から発生する熱による弾球遊技機の故障を防止する。【解決手段】  弾球遊技機１は、少なくとも一部が透明な部材で形成された遊技板３２と、遊技板３２の裏面側に配備され、所定の画像を表示可能な表示装置７０とを有する。そして、遊技板３２と表示装置７０との間には、スペーサ１１０が備えられている。【選択図】       図６
2005152580.tif 000002
【特許請求の範囲】
【請求項１】
少なくとも一部が透明な部材で形成された遊技板から構成される遊技盤と、前記遊技板の裏面側に配備され、所定の画像を表示可能な表示装置とを有する弾球遊技機であって、
前記遊技板と前記表示装置との間に遊技球が通過可能であることを特徴とする弾球遊技機。
【請求項２】
少なくとも一部が透明な部材で形成されており、前記遊技板の表面側の遊技領域に打ち出された遊技球を前記遊技板の裏側の遊技領域へ転動案内させるとともに、裏側の遊技領域に転動された遊技球を表側の遊技領域へ排出する裏通路部と、
前記裏通路部内を通過する遊技球を検出する検出部と、
前記検出部による検出結果に基づいて遊技球の通過を判定する遊技球通過判定手段と、
前記遊技球通過判定手段による判定結果に基づいて所定の演出を実行する演出実行手段と
を備えることを特徴とする請求項１に記載の弾球遊技機。
【発明の詳細な説明】
【技術分野】
【０００１】
本発明は、パチンコ遊技機等の弾球遊技機に関する。
【背景技術】
【０００２】
従来より、透明な部材で形成された遊技盤が備えられた弾球遊技機がある。この弾球遊技機においては、遊技盤の透明部分の裏面側に、画像などを表示する表示装置が備えられている。このような弾球遊技機によれば、遊技者が遊技球の動きを視認しながら、遊技盤を介して表示装置の表示内容を視認可能であるため、弾球遊技機は遊技の興趣を向上させることができる（例えば、特許文献１参照）。
【特許文献１】特開平１１−７６５１７号公報
【発明の開示】
【発明が解決しようとする課題】
【０００３】
しかしながら、上述の弾球遊技機においては、遊技板の裏面側において遊技球が流下できないため、遊技球の流下態様が単調となってしまい、遊技の興趣の向上があまり望めなかった。
【０００４】
そこで、本発明は、以上の点に鑑みてなされたものであり、遊技盤の表面側のみならず、裏側も遊技球を流下させることにより、奥行感のある遊技を実行可能な構造を持つことができるとともに、遊技の興趣を飛躍的に高めることができる弾球遊技機を提供することを課題とする。
【課題を解決するための手段】
【０００５】
本発明は、以上の問題点を解決するために、少なくとも一部が透明な部材で形成された遊技板（例えば、遊技板３２）から構成される遊技盤（例えば、遊技盤３０）と、遊技板の裏面側に配備され、所定の画像を表示可能な表示装置（例えば、液晶ディスプレイ部７０）とを有する弾球遊技機であって、遊技板と表示装置との間に遊技球が通過可能であることを特徴とする。
【０００６】
このような本発明によれば、遊技板と表示装置との間に遊技球が通過可能であることにより、表面側のみならず裏面側においても遊技球が流下可能となるため、弾球遊技機は、奥行感のある遊技を実行可能な構造を持つことができるとともに、遊技の興趣を飛躍的に高めることができる。
【０００７】
上記発明においては、少なくとも一部が透明な部材で形成されており、遊技板の表面側の遊技領域に打ち出された遊技球を遊技板の裏側の遊技領域（例えば、遊技球通過領域３０３ａ，３０４ａ，４０８ａ）へ転動案内させるとともに、裏側の遊技領域に転動された遊技球を表側の遊技領域へ排出する裏通路部（例えば、裏通路部３００）と、裏通路部内を通過する遊技球を検出する検出部（例えば、検出部９１，９２）と、検出部による検出結果に基づいて遊技球の通過を判定する遊技球通過判定手段（例えば、ＣＰＵ）と、遊技球通過判定手段による判定結果に基づいて所定の演出を実行する演出実行手段（例えば、ＣＰＵ）とが備えられてもよい。
【０００８】
この場合には、少なくとも一部が透明な部材で形成されており、遊技板の表面側の遊技領域に打ち出された遊技球を遊技板の裏側の遊技領域へ転動案内させるとともに、裏側の遊技領域に転動された遊技球を表側の遊技領域へ排出する裏通路部と、裏通路部内を通過する遊技球を検出する検出部と、検出部による検出結果に基づいて遊技球の通過を判定する遊技球通過判定手段と、遊技球通過判定手段による判定結果に基づいて所定の演出を実行する演出実行手段とが備えられたことにより、遊技球が裏通路部を通過したことにより様々な演出が実行されるため、弾球遊技機は、遊技者に高い期待感を持たせることができるとともに、遊技の興趣を飛躍的に高めることができる。また、遊技板の裏側では遊技球が裏通路部を通過することにより、弾球遊技機は、遊技板の裏側を流下する遊技球によって表示装置に傷が付かないようにすることが可能な構造を持つことができる。さらに、表示装置から発する光が、透明な部材で形成された裏通路部を通過する遊技球に反射するため、弾球遊技機は、当該光の反射による演出効果も向上させることができる。
【０００９】
また、本発明は、少なくとも一部が透明な部材で形成された遊技板（例えば、遊技板３２）から構成される遊技盤（例えば、遊技盤３０）と、遊技板の裏面側に配備され、所定の画像を表示可能な表示装置（例えば、液晶ディスプレイ部７０）とを有する弾球遊技機であって、遊技板と表示装置との間が所定の間隔あることを特徴とする。この遊技板と表示装置との間には、本実施形態ではスペーサ（例えば、スペーサ１１０）が備えられている。
【００１０】
この場合には、遊技板と表示装置との間が所定の間隔あることにより、弾球遊技機は、表示装置の動作に伴って発生する熱が多量に遊技板に設置された各種部品（例えば、弾球遊技機１の動作に関係する部品など）などに伝わるという事態を防止可能な構造を持つことができるとともに、表示装置から発生する熱による弾球遊技機１の故障を防止可能な構造を持つことができる。
【００１１】
また、遊技板と表示装置との間隔が存在することにより、弾球遊技機は、表示装置の表示が遊技盤に対して奥行きがあるような感覚を遊技者に与えることができ、演出効果を向上させることができる。また、弾球遊技機は、表示装置の表示に対して、遊技盤の遊技領域に投入された遊技球が宙に浮いているような感覚を遊技者に与えることができ、視覚的な演出効果を向上させることができる。
【００１２】
上記発明においては、スペーサは、正面側から見て、表示装置の周縁部と重なる位置に備えられてもよい。この場合には、表示装置の周縁部付近に他の部材との間で存在する隙間や、例えば、表示装置の液晶部の周囲に配置された枠が遊技者によって視認されないため、弾球遊技機は、弾球遊技機の外観が美しいという感覚を遊技者に与えることができ、弾球遊技機の外観における美観を向上させることができる。
【００１３】
上記発明においては、スペーサは、遊技板に対して着脱可能に構成されてもよい。この場合には、作業者等は遊技盤の交換を容易に行えることができ、弾球遊技機は、遊技盤の交換時における作業時間や作業コストを低減可能な構造を持つことができる。
【００１４】
上記発明においては、遊技板の所定位置には係止部（例えば、係止孔３０ａ）が備えられており、スペーサの所定位置には係止部に係止されるための係止片（例えば、係止片１１１）が備えられてもよい。この場合には、スペーサを遊技板に取り付けるための取り付け部品（例えば、ネジなど）が不要となり、弾球遊技機の製造に要するコストの低減化が可能となる。
【００１５】
上記発明において、弾球遊技機を遊技場に備えられる遊技島に固定するための外枠（例えば、外枠８０）と、当該外枠に対して開閉可能に取り付けられた本体枠（例えば、ベースドア６０）とが備えられ、表示装置は、本体枠の裏面に取り付けられており、遊技盤は、本体枠の前面に取り付けられてもよい。従来では、遊技盤を交換するときには、正常動作が行える表示装置も一緒に交換されていたため、遊技盤だけの交換に必要なコストが高くなってしまっていた。本発明では、表示装置が本体枠の裏面に取り付けられたまま、遊技盤だけが本体枠から取り外すことが可能となり、遊技盤だけの交換に必要なコストが低減可能となる。
【発明の効果】
【００１６】
本発明によれば、少なくとも一部が透明な部材で形成された遊技板の裏面側に、表示装置を配置することにより、遊技の興趣を向上させるとともに、表示装置から発生する熱による弾球遊技機の故障を防止することができる。
【発明を実施するための最良の形態】
【００１７】
本実施形態における弾球遊技機１の構成について、図面を参照しながら説明する。図１は、本実施形態における弾球遊技機１の全体を示す斜視図であり、図２は、上記弾球遊技機１を構成する各部を分解した様子を示す分解説明図である。図３は、正面から見た場合の遊技盤３０の外観図である。図４は、裏面側から見た場合の遊技盤３０の外観を示す図である。図５は、液晶ディスプレイ部７０がベースドア６０に取り付けられた状態を示す図である。後述するように、遊技盤３０と液晶ディスプレイ部７０とは所定の間隔空けられた状態で配備されている。
【００１８】
図２に示すように、弾球遊技機１は、遊技場に備えられる遊技島に固定するための外枠８０と、外枠８０に取り付けられたベースドア６０とを備えている。外枠８０の前面の左上部及び左下部には、ヒンジ凸部８０ａが備えられている。また、ベースドア６０の前面の左上部及び左下部には、ヒンジ凹部６０ｃが備えられている。そして、ヒンジ凹部６０ｃに、ヒンジ凸部８０ａが嵌め込まれることにより、外枠８０に対してベースドア６０が開閉可能に取り付けられる。
【００１９】
図２に示すように、本実施形態の弾球遊技機１において、ベースドア６０の裏面には、液晶ディスプレイ部７０が取り付けられている。液晶ディスプレイ部７０は、所定の画像（例えば、演出画像など）を表示可能な表示装置である。具体的には、液晶ディスプレイ部７０には、所定の画像を表示可能な液晶部７０ａと、液晶部７０ａの周囲に配備された液晶枠７０ｂとが備えられている。
【００２０】
ベースドア６０の裏面には、液晶ディスプレイ部７０をベースドア６０の上側から、差し入れることが可能なレール部（図示せず）が備えられているとともに、開口部６０ｅが備えられている。
【００２１】
液晶ディスプレイ部７０は、液晶ディスプレイ部７０がレール部に差し入れられた状態で、ベースドア６０に取り付けられている。この液晶ディスプレイ部７０がレール部に差し入れられた状態においては、液晶ディスプレイ部７０の液晶部７０ａは、正面側から見てベースドア６０の開口部６０ｅと重なる位置（即ち、対向する位置）に配置される。
【００２２】
図２に示すように、ベースドア６０の前面の上方にはスピーカ７５を嵌め込むことが可能な開口部６０ｄが備えられており、この開口部６０ｄにはスピーカ７５が嵌め込まれる。
【００２３】
また、図２に示すように、ベースドア６０の前面には、遊技盤３０が取り付けられている。具体的には、ベースドア６０の前面の中央には、スペーサ１１０が取り付けられた遊技盤３０が着脱可能に取り付けられている。この遊技盤３０は、遊技板３２と、この遊技板３２に備えられた後述する各種の遊技部材（第１遊技球誘導部材３など）とを備えている。このため、弾球遊技機１においては、液晶ディスプレイ部７０は、遊技板３２の裏面側に配備されることになる。図２や図５に示すように、遊技板３２の４つの角部分には、孔部３１が備えられており、ベースドア６０には、４つの所定位置に、それぞれ、留め部材６１が備えられている。
【００２４】
この留め部材６１は、板部６１ａと、留め部材６１が遊技板３２の孔部３１に嵌め込まれたときに、回転操作により遊技板３２がベースドア６０から抜けない位置又は遊技板３２がベースドア６０から抜ける位置に、板部６１ａを配置させるための回転部６１ｂとを備えている。これにより、遊技板３２の４つの孔部３１にはベースドア６０に備えられた４つの留め部材６１が嵌め込まれ、回転部６１ｂが回転されることにより、遊技板３２がベースドア６０から抜けない状態で、板部６１ａが配置されることになる。また、回転部６１ｂが回転され、遊技板３２がベースドア６０から抜ける位置に、板部６１ａが配置されることになり、遊技盤３０がベースドア６０から取り出し可能となる。
【００２５】
なお、スペーサ１１０には、発光基板１３０、電飾用レンズ部材１４０、球通路部１２０が備えられている。これらについての説明は後述する。
【００２６】
遊技盤３０は、ベースドア６０の前面に取り付けられた状態で、遊技盤３０の遊技領域が正面側から見てベースドア６０の開口部６０ｅと重なる位置に配置される。この遊技盤３０に備えられている遊技板３２の少なくとも一部は、液晶ディスプレイ部７０の表示領域を正面側から見て視認可能な透明な部材で形成されている。この透明部材は、無色透明のアクリル樹脂材、ボリカーボネート樹脂又はポリアリレート樹脂等の合成樹脂で形成される。本実施形態では、遊技板３２の全部が透明な部材で形成されているとする。なお、遊技板３２の一部が透明な部材で形成されている場合も本発明は同様に適用できる。
【００２７】
図３に示すように、遊技板３２は、第１遊技球誘導部材３と、第２遊技球誘導部材４と、一般入賞口５と、始動口６と、アウト口７と、大入賞口８とを備えている。
【００２８】
第１遊技球誘導部材３及び第２遊技球誘導部材４は、遊技球の流下方向を大きく変化させるものである。第１遊技球誘導部材３は、遊技球が流下可能な遊技領域の上方に位置するように配備され、遊技板３２の面に対して直角に立設された壁体から構成される。第２遊技球誘導部材４は、当該遊技領域の下方に位置するように配備され、遊技板３２の面に対して直角に立設された壁体から構成される。一般入賞口５は、当該一般入賞口５に遊技球が入球すると所定数（例えば、１５個）の遊技球（賞球）が払い出されるように構成されており、遊技球の入球により遊技者に所定の利益（賞球の払い出し）を付与するためのものである。
【００２９】
始動口６は、当該始動口６に遊技球が入球すると大当り判定用の乱数値及び大当り図柄決定用の乱数値などが抽出されるように構成されている。アウト口７は、始動口６や大入賞口８や一般入賞口５などのいずれにも入球しなかった遊技球を受け入れる。大入賞口８は、特定領域（いわゆるＶゾーン）と一般領域とを備え、大当り判定用の乱数値に基づく大当り判定の結果に応じ、所定の設定に従って開閉するように制御される。
【００３０】
図３及び図４に示すように、係止孔３０ａ（係止部）は、遊技板３２の各所定位置に備えられている。この係止孔３０ａは、スペーサ１１０の所定位置に備えられた係止片１１１が係止されるためのものである。
【００３１】
図４に示すように、誘導路ユニット部４ａは、遊技板３２の裏面に配備されている。この誘導路ユニット部４ａは、第１遊技球誘導部材３の下方に備えられた２つの孔に投入された遊技球を、第２遊技球誘導部材４の上方に備えられた３つの孔のいずれかから排出させるためのものである。
【００３２】
始動口ユニット部６ａは、遊技板３２の裏面に配備され、裏面側から見て始動口６と重なる位置に配備されている。この始動口ユニット部６ａには、始動口６に備えられている始動領域を遊技球が通過したことを検出する始動入賞球スイッチや、始動口６に備えられている１対の羽根を開閉するための始動口ソレノイドなどが備えられている。
【００３３】
大入賞口ユニット部８ａは、遊技板３２の裏面に配備され、裏面側から見て大入賞口８と重なる位置に配備されている。この大入賞口ユニット部８ａには、大入賞口８の扉を開閉する大入賞口ソレノイドや、大入賞口８に備えられている特定領域や一般領域を通過した遊技球の数を計数するためのスイッチなどが備えられている。
【００３４】
上述の図２に示すように、ベースドア６０の前面の左上部及び左下部には、ヒンジ凹部６０ｆ（凹みの様子は図示せず）が備えられており、前面の左中部には、ヒンジ凸部６０ｇ（凸の様子は図示せず）が備えられている。また、ガラス枠１０の裏面の左上部には、ヒンジ凸部（図示せず）が備えられており、裏面の左下部には、ヒンジ凹部（図示せず）が備えられている。そして、ベースドア６０の前面の左上部に備えられたヒンジ凹部６０ｆに、ガラス枠１０に備えられたヒンジ凸部が嵌め込まれるとともに、ヒンジ凸部６０ｇが、ガラス枠１０に備えられたヒンジ凹部に嵌め込まれることにより、ベースドア６０に対して、ガラス枠１０が開閉可能に取り付けられる。なお、ベースドア６０の前面の左下部に備えられたヒンジ凹部６０ｆに、皿部２０の裏面に備えられたヒンジ凸部（図示せず）が嵌め込まれることにより、皿部２０がベースドア６０に対して開閉可能に取り付けられる。このガラス枠１０には、遊技盤３０の前面を覆うための前面ガラス１１がはめ込まれている。
【００３５】
また、図２に示すように、ベースドア６０の前面の下方には、皿部２０が取り付けられている。この皿部２０は、賞球などにより払い出された遊技球などを貯留するための上皿と、アウト口７に受け入れられた遊技球などを貯留するための下皿とを備えている。
【００３６】
発射ハンドル４０は、ベースドア６０の前面に取り付けられた皿部２０の右側に取り付けられている。具体的には、この発射ハンドル４０に備えられた係止片（図示せず）が、ベースドア６０の右下方に備えられた係止穴に係止されることにより、発射ハンドル４０はベースドア６０に取り付けられる。なお、ベースドア６０の下方の右側には、発射ハンドルに備えられたハーネス（ボリュームスイッチと発射装置とを接続するためのハーネス、図示せず）を差し通すための貫通孔が備えられている。
【００３７】
第１ユニット部９０は、ベースドア６０の裏面の左側（正面側から見て左側）に配備され、図示しないヒンジ機構を介して開閉可能に取り付けられている。この第１ユニット部９０には、遊技球を貯留するための球タンク、貸球又は賞球用の遊技球の払い出しを行う払出装置、貸球や賞球などの遊技球の通路である遊技球通路などが備えられている。
【００３８】
第２ユニット部１００は、ベースドア６０の裏面の右側（正面側から見て右側）に取り付けられている。この第２ユニット部１００には、液晶ディスプレイ部７０に表示する図柄の表示制御を行う図柄制御基板、遊技盤３０の前面などに配備された各種ランプの点灯、点滅制御などを行うランプ制御基板、大当たり判定などの遊技処理全般を制御する主制御基板、貸球及び賞球の払い出しに関する制御を行う払出基板、各基板の動作に必要な電源を供給する電源基板などが備えられている。
【００３９】
このように構成された遊技機においては、図５に示すように、液晶ディスプレイ部７０がベースドア６０に取り付けられたままの状態であり、且つガラス枠１０がベースドア６０に対して開放された状態で、作業者等が回転部６１ｂを回転操作し、遊技板３２がベースドア６０から抜ける位置に板部６１ａを配置させることにより、作業者等は遊技盤３０をベースドア６０から取り出すことができる。
【００４０】
図６は、遊技板３２と液晶ディスプレイ部７０との間にスペーサ１１０が備えられている様子を示す斜視図である。図７は、遊技板３２と液晶ディスプレイ部７０との間にスペーサが備えられている様子を示す側面図である。図８は、遊技板３２の裏面に、発光基板１３０と球通路部１２０とを備えるスペーサ１１０が備えられている様子を示す図である。図９は、弾球遊技機１を構成する遊技盤３０と、スペーサ１１０と、球通路部１２０と、発光基板１３０と、液晶ディスプレイ部７０とが分解された様子を示す分解図である。図１０は、正面側から見たときのスペーサ１１０を示す外観図である。
【００４１】
図６及び図７に示すように、本実施形態の弾球遊技機１においては、遊技板３２と液晶ディスプレイ部７０との間には、スペーサ１１０が備えられている。先ずスペーサ１１０の構成を説明する。
【００４２】
スペーサ１１０は、遊技板３２に対して着脱可能に構成されている。具体的には、図９に示すように、スペーサ１１０の前面の各所定位置には、遊技板３２に備えられた係止孔３０ａによって着脱可能に係止されるための係止片１１１が備えられている。そして、図９に示すように、スペーサ１１０に備えられた各係止片１１１の位置と、遊技板３２に備えられた各係止孔３０ａの位置とがそれぞれ合わせられて、各係止片１１１は、それぞれ、各係止孔３０ａに対して、取り外し可能に係合される。これにより、各係止片１１１は、各係止孔３０ａに着脱可能に係止される。
【００４３】
図１０に示すように、スペーサ１１０には、正面側から見て液晶部７０ａを視認可能とするための貫通孔１１０ｃが備えられている。
【００４４】
また、スペーサ１１０には、球通路部１２０と連通し、一般入賞口５に入球された遊技球を受け入れるための球受け入れ孔１１２が正面側から見て一般入賞口５と重なる位置に備えられている（図１０参照）。具体的には、スペーサ１１０が遊技板３２に取り付けられるとともに、スペーサ１１０に球通路部１２０が取り付けられた状態で、球受け入れ孔１１２は、スペーサ１１０において、正面側から見て遊技板３２に配備された一般入賞口５と重なる位置であるとともに、球通路部１２０の通路部１２１の上端部１２１ａと重なる位置に配備されている。
【００４５】
さらに、スペーサ１１０の裏面には、発光基板１３０を取り付けるためのネジ挿入用の突出部１１５が配備されている（後述の図１３参照）。
【００４６】
また、スペーサ１１０には、図１０に示すように、電飾用レンズ部材１４０が嵌め込まれるための凹部１１４が備えられている。この凹部１１４は、複数の開口部１１３を備えている。これらの開口部１１３は、スペーサ１１０において、発光基板１３０がスペーサ１１０の裏面における所定位置に取り付けられたときに、正面側から見て各発光部材１３１と重なる位置に備えられている。これにより、発光基板１３０がスペーサ１１０の裏面における所定位置に取り付けられたときは、発光部材１３１が開口部１１３と臨む位置に配置されることにより、遊技者は、開口部１１３を通して発光部材１３１からの光を視認できる。したがって、スペーサ１１０には、発光部材１３１が、発光部材１３１からの光を遊技者が視認可能な位置に備えられていることになる。
【００４７】
また、凹部１１４は、複数の第１の係止孔１１０ａと、複数の第２の係止孔１１０ｂとを備えている。この第１の係止孔１１０ａは、後述する電飾用レンズ部材１４０の所定位置に備えられた係止片１４０ａが係止されるためのものであり、第２の係止孔１１０ｂは、後述する電飾用レンズ部材１４０の所定位置に備えられた係止片１４０ｂが係止されるためのものである。
【００４８】
図１１は、弾球遊技機１において、スペーサ１１０と、液晶ディスプレイ部７０との間の配置関係を示す図である。図１１に示すように、弾球遊技機１において、スペーサ１１０は、正面側から見て液晶ディスプレイ部７０の周縁部と重なる位置に備えられている。具体的には、ベースドア６０の前面に対して、スペーサ１１０が裏面側に取り付けられた遊技盤３０が取り付けられている。そして、液晶ディスプレイ部７０は、ベースドア６０の裏面に対して、正面側から見て液晶枠７０ｂがスペーサ１１０に隠れる位置に取り付けられている。
【００４９】
次に、スペーサ１１０の裏面の所定位置に備えられ、遊技球の通路である球通路部１２０の構成の説明を行う。
【００５０】
図１２は、正面側から見た場合の球通路部１２０の構成を示す外観図である。また、図１３は、球通路部１２０と発光基板１３０とがスペーサ１１０にどのように取り付けられているかを説明するための外観図である。
【００５１】
図１２に示すように、球通路部１２０には、スペーサ１１０の各所定位置に備えられた係止片１１７が着脱可能に係止されるための係止孔１２３が備えられている。また、球通路部１２０には、球受け入れ孔１１２から送られてきた遊技球を通過させるための通路部１２１が備えられている。
【００５２】
この通路部１２１には、球通路部１２０がスペーサ１１０に取り付けられた状態で、上端部１２１ａが球受け入れ孔１１２と対向する位置に配置されている。また、通路部１２１に備えられた下端部１２１ｂには、下向きの開口が備えられている。さらに、通路部１２１には、正面側から見て通路部１２１の前面側に開口が形成されており、裏面側に蓋が一体成形されている。このため、スペーサ１１０に球通路部１２０が取り付けられた状態では、通路部１２１は通路部１２１の蓋とスペーサ１１０とに挟まれた空間を形成し、遊技球はこの空間を通過する。
【００５３】
このように構成された通路部において、スペーサ１１０に球通路部１２０が取り付けられた状態では、球受け入れ孔１１２を介して、一般入賞口５から送られてきた遊技球が上端部１２１ａに送られ、遊技球が通路部１２１を通過し、下端部１２１ｃの開口から弾球遊技機１の外部に排出される。
【００５４】
図１３に示すように、球通路部１２０には、遊技球の通過を検出するための遊技球検出スイッチ１２５を差込こむための差込み孔１２２が備えられている。遊技球検出スイッチ１２５には、遊技球を通過させるための通過孔１２５ａが備えられている。遊技球検出スイッチ１２５は、差込み孔１２２に対して、通路部１２１を通過する遊技球が通過孔１２５ａを通過可能な位置に差し込まれている。このようにして、球通路部１２０には、遊技球の通過を検出するための遊技球検出スイッチ１２５が備えられている。
【００５５】
この遊技球検出スイッチ１２５が差込み孔１２２に差し込まれた状態で、通路部１２１を通過した遊技球が通過孔１２５ａを通過すると、遊技球検出スイッチ１２５は遊技球の通過を検出し、図示しないハーネスなどを介して、検出信号を主制御基板に出力する。
【００５６】
球通路部１２０は、スペーサ１１０の裏面の下方に配備され、着脱可能に構成されている。具体的には、図１３に示すように、スペーサ１１０の各所定位置には、球通路部１２０に備えられた係止孔１２３に着脱可能に係止されるための係止片１１７が備えられている。そして、図１３に示すように、スペーサ１１０に備えられた各係止片１１７の位置と、球通路部１２０に備えられた各係止孔１２３の位置とがそれぞれ合わせられて、各係止片１１７は、それぞれ、各係止孔１２３に取り外し可能に係合される。これにより、各係止片１１７は、各係止孔１２３に着脱可能に係止される。
【００５７】
このようにして構成された球通路部１２０がスペーサ１１０の裏面に取り付けられることにより、弾球遊技機１において、球通路部１２０は、正面側から見てスペーサ１１０の裏面に配置されることになる。このため、遊技者は、透明な遊技板３２で構成される遊技盤３０を介して、球通路部１２０を視認してしまうことがない。
【００５８】
次に、スペーサ１１０の裏面に取り付けられている発光基板１３０の構成の説明を行う。発光基板１３０は、スペーサ１１０の裏面に、ネジなどにより取り付けられる。この発光基板１３０には、複数の発光部材１３１（例えば、ＬＥＤ）と、スペーサ１１０に対して当該発光基板１３０を取り付けるためのねじ挿入用の開口部１３２とが配備されている。そして、図１３に示すように、発光基板１３０に備えられた開口部１３２の位置と、スペーサ１１０に備えられた突出部１１５の位置とが合わせられて、発光基板１３０の裏面側から、ネジなどが突出部１１５及び開口部１３２に挿入されて、スペーサ１１０に対して当該発光基板１３０が固定される。
【００５９】
次に、スペーサ１１０の前面に取り付けられている電飾用レンズ部材１４０の構成の説明を行う。電飾用レンズ部材１４０は、複数の発光部材１３１からの光を拡散するものである。この電飾用レンズ部材１４０は、スペーサ１１０の前面（発光部材１３１の前面側）に対して、正面側から見て上記複数の発光部材１３１と重なる位置に配備されている。
【００６０】
具体的には、スペーサ１１０の前面の凹部１１４には、電飾用レンズ部材１４０が嵌め込まれる。この凹部１１４に電飾用レンズ部材１４０が嵌め込まれた状態で、電飾用レンズ部材１４０は、正面側から見て凹部１１４に配備された開口部１１３を覆っている。スペーサ１１０の裏面に発光基板１３０が取り付けられた状態で、各発光部材１３１が正面側から見て各開口部１１３に臨む位置となることにより、電飾用レンズ部材１４０は、スペーサ１１０の前面側から見て複数の発光部材１３１と重なる位置に取り付けられていることになる。
【００６１】
図１４は、電飾用レンズ部材１４０がスペーサ１１０にどのように取り付けられているかを説明するための外観図である。上述したように、スペーサ１１０の所定位置には、係止孔（第１の係止孔１１０ａ，第２の係止孔１１０ｂ）が備えられており、電飾用レンズ部材１４０の所定位置には、係止孔（第１の係止孔１１０ａ，第２の係止孔１１０ｂ）に係止されるための係止片（第１の係止片１４０ａ，第２の係止片１４０ｂ）が備えられている。
【００６２】
具体的には、電飾用レンズ部材１４０には、電飾用レンズ部材１４０が凹部１１４に嵌め込まれたときに、スペーサ１１０に備えられた第１の係止孔１１０ａ（及び第２の係止孔１１０ｂ）と対向する位置に、第１の係止片１４０ａ（及び第２の係止片１４０ｂ）が配備されている。
【００６３】
そして、図１４に示すように、スペーサ１１０に備えられた第１の係止孔１１０ａの位置と、電飾用レンズ部材１４０に備えられた第１の係止片１４０ａの位置とがそれぞれ合わせられて、各第１の係止片１４０ａは、それぞれ、各第１の係止孔１１０ａに取り外し可能に係合されることにより、各第１の係止片１４０ａは各第１の係止孔１１０ａに着脱可能に係止される。第２の係止片１４０ｂも同様にして、第２の係止孔１１０ｂに着脱可能に係止される。
【００６４】
このようにして構成された電飾用レンズ部材１４０がスペーサ１１０の前面に取り付けられ、発光基板１３０がスペーサ１１０の裏面に取り付けられることにより、弾球遊技機１において、発光部材１３１や電飾用レンズ部材１４０は、正面側から見て液晶部７０ａと重ならなくなる。
【００６５】
（作用効果）
本実施形態の弾球遊技機１によれば、遊技板３２と液晶ディスプレイ部７０との間に、スペーサ１１０が備えられることにより、弾球遊技機１は、遊技板３２と液晶ディスプレイ部７０との間の間隔を所定距離に保つことができる。このため、弾球遊技機１は、液晶ディスプレイ部７０の動作に伴って発生する熱が多量に遊技板３２に設置された各種部品（例えば、弾球遊技機１の動作に関係する部品など）などに伝わってしまう事態を防止可能な構造を持つことができるとともに、液晶ディスプレイ部７０から発生する熱による弾球遊技機１の故障を防止可能な構造を持つことができる。
【００６６】
すなわち、少なくとも一部が透明な部材で形成された遊技板３２の裏面側に、液晶ディスプレイ部７０が配置されることにより、液晶ディスプレイ部７０の前面における遊技球の流下態様とともに液晶ディスプレイ部７０に表示された所定の演出が遊技者によって視認可能となるため、弾球遊技機１は、遊技の興趣を向上させるとともに、液晶ディスプレイ部７０から発生する熱による弾球遊技機１の故障を防止することができる。
【００６７】
また、遊技板３２と液晶ディスプレイ部７０との間隔が存在することにより、弾球遊技機１は、液晶ディスプレイ部７０の表示が遊技盤３０（又は遊技板３２）に対して奥行きがあるような感覚を遊技者に与えることができ、演出効果を向上させることができる。また、弾球遊技機１は、液晶ディスプレイ部７０の表示に対して、遊技盤３０の遊技領域に投入された遊技球が宙に浮いているような感覚を遊技者に与えることができ、視覚的な演出効果を向上させることができる。
【００６８】
さらに、遊技板３２と液晶ディスプレイ部７０との間隔が存在しない場合には、例えば、遊技者は、発射レールより外側に位置する表示領域を視認できないが、本実施形態では、遊技板３２と液晶ディスプレイ部７０との間隔が所定距離にされるため、弾球遊技機１は、従来視認できなかった表示領域を遊技者に視認させることができ、演出効果を一層向上させることができる。
【００６９】
また、スペーサ１１０が正面側から見て液晶ディスプレイ部７０の周縁部（例えば、液晶枠７０ｂ）と重なる位置に備えられることにより、遊技者は、液晶ディスプレイ部７０の周縁部付近に他の部材との間で存在する隙間や、液晶枠７０ｂを視認できない。このため、弾球遊技機１は、外観における美観を向上可能な構造を持つことができる。
【００７０】
さらに、スペーサ１１０が遊技板３２に対して着脱可能に構成されることにより、作業者等は遊技盤３０の交換を容易に行えることができ、弾球遊技機１は遊技盤３０の交換時における作業時間や作業コストを低減可能な構造を持つことができる。
【００７１】
また、遊技板３２の所定位置には係止孔３０ａが備えられ、スペーサ１１０の所定位置には係止孔３０ａに係止されるための係止片１１１が備えられることにより、スペーサ１１０を遊技板３２に取り付けるための取り付け部品（例えば、ネジなど）が不要となるため、弾球遊技機１は、弾球遊技機１の製造に要するコストの低減を図ることが可能な構造を持つことができる。
【００７２】
さらに、液晶ディスプレイ部７０は、ベースドア６０の裏面に取り付けられており、遊技盤３０は、ベースドア６０の前面に取り付けられている。従来では、遊技盤３０が交換されるときは、正常動作が行える液晶ディスプレイも一緒に交換されていたため、遊技盤３０だけの交換に必要なコストが高くなってしまっていた。本実施形態では、液晶ディスプレイ部７０がベースドア６０の裏面に取り付けられたままの状態で、遊技盤３０だけがベースドア６０から取り外し可能となるため、弾球遊技機１は、遊技盤３０だけの交換に必要なコストを低減可能な構造を持つことができる。
【００７３】
（第１変更例）
（１）上述した実施形態では、遊技板３２と液晶ディスプレイ部７０との間において、スペーサ１１０は、正面側から見て液晶ディスプレイ部７０の周縁部（例えば、液晶枠７０ｂ）と重なる位置に備えられていたが、これに限定されず、スペーサ１１０は、正面側から見て液晶ディスプレイ部７０の周縁部（例えば、液晶枠７０ｂ）と重ならない位置に、備えられてもよい。また、スペーサ１１０は、正面側から見て液晶ディスプレイ部７０の周縁部の一部と重なる位置（例えば、液晶ディスプレイ部の液晶枠７０ｂの４角部分と重なる位置）に備えられてもよい。
【００７４】
また、スペーサ１１０は、上述した実施形態の構成に限定されず、遊技板３２と液晶ディスプレイ部７０との間隔を所定距離に保つためのものであればどのような構成であってもよい。
【００７５】
さらに、上述の実施形態では、スペーサ１１０が遊技板３２に取り付けられた後に、遊技板３２がベースドア６０に取り付けられるようにしていたが、以下のようにしてもよい。即ち、ベースドア６０には、スペーサ１１０が取り付けられている。そして、遊技板３２は、遊技板３２とベースドア６０との間にあるスペーサ１１０を挟み込んだ状態で、ベースドア６０に直接取り付けられてもよい。
【００７６】
また、上述の実施形態では、遊技板３２に備えられた係止孔３０ａに、スペーサ１１０の係止片１１１が係止されることにより、スペーサ１１０は、遊技板３２に着脱可能に取り付けられたが、これに限定されず、以下のようにしてもよい。即ち、遊技板３２に対して、スペーサ１１０は、ビス留めにより固定されてもよい。
【００７７】
さらに、上述の実施形態では、液晶ディスプレイ部７０は、ベースドア６０に取り付けられるようにしていたが、液晶ディスプレイ部７０は、スペーサ１１０に取り付けられるようにしてもよい。そして、液晶ディスプレイ部７０が取り付けられたスペーサ１１０が、遊技板３２に取り付けられるようにしてもよい。
【００７８】
（２）スペーサ１１０には、スペーサ１１０が遊技板３２に取り付けられた状態で、正面側から見て一般入賞口５の位置と重ならない位置に、球受け入れ孔１１２が配備されてもよい。そして、遊技板３２の裏面に、球受け入れ孔１１２と、通路部１２１の上端１２１ａとを連通するための連通路が備えられてもよい。
【００７９】
また、遊技球検出スイッチ１２５は、球通路部１２０に備えられていたが、一般入賞口５内に備えられてもよい。
【００８０】
さらに、一般入賞口５に限らず、始動口６，大入賞口８も遊技球の入球により遊技者に所定の利益（賞球の払い出しなど）を付与するためのものである。そして、スペーサ１１０が遊技板３２に取り付けられた状態で、スペーサ１１０において球受け入れ孔１１２は、一般入賞口５と対向する位置に限らず、始動口６，大入賞口８、アウト口７と対向する位置に備えられてもよい。そして、始動口６，大入賞口８、アウト口７に入球した遊技球が通路部１２１を通過してもよい。
【００８１】
また、通路部１２１の上端１２１ａは賞球タンクと接続され、通路部１２１の下端１２１ｂは上皿に接続されてもよい。そして、賞球タンクからの遊技球が通路部１２１を介して、上皿に送られてもよい。
【００８２】
さらに、球通路部１２０の形状や、通路部１２１の形状は、図１２に示す形状（湾曲状の形状）に限定されず、球受け入れ孔１１２から送られてきた遊技球を通過させることができるものであれば、どのような形状であってもよい。
【００８３】
（３）発光部材１３１は、例えば、ＬＥＤにより構成されるとしたが、これに限定されず、例えば、ランプなどで構成されてもよい。
【００８４】
また、上述した実施形態において、開口部１１３がスペーサ１１０に備えられず、発光基板１３０は、スペーサ１１０の前面に直接取り付けられてもよい。そして、スペーサ１１０の前面に発光基板１３０が取り付けられた状態で、電飾用レンズ部材１４０は、正面側から見て発光基板１３０に配備された複数の発光部材１３１と重なる位置に、スペーサ１１０に対して取り付けられてもよい。
【００８５】
さらに、上述の実施形態では、発光基板１３０がスペーサ１１０に取り付けられているが、各発光部材１３１は、スペーサ１１０に備えられた開口部１３２の位置に直接取り付けられてもよい。
【００８６】
また、電飾用レンズ部材１４０の係止片１４０ａ，１４０ｂが、スペーサ１１０の係止孔１１０ａ，１１０ｂに係止されることにより、電飾用レンズ部材１４０は、スペーサ１１０に着脱可能に取り付けられているが、これに限定されず、以下のようにしてもよい。即ち、電飾用レンズ部材１４０は、スペーサ１１０に対してネジにより固定されてもよい。
【００８７】
さらに、上述した実施形態では、スペーサ１１０に対して、発光基板１３０、電飾用レンズ部材１４０、球通路部１２０が取り付けられているが、スペーサ１１０と発光基板１３０と電飾用レンズ部材１４０と球通路部１２０は一体成形されてもよい。
【００８８】
（４）遊技板３２の表側の遊技領域に打ち出されて転動する遊技球が、遊技板３２の裏側の遊技領域に備えられた所定の遊技球通過領域３０３ａ，３０４ａに転動案内されたことを検出する検出部９１，９２と、検出部９１，９２による検出結果に基づいて遊技球の通過を判定する遊技球通過判定手段（例えば、ＣＰＵ）と、当該判定結果に基づいて所定の演出を実行する演出実行手段（例えば、ＣＰＵ）とが備えられてもよい。
【００８９】
ここで、図１５乃至図１７は、第１遊技球誘導部材３及び第２遊技球誘導部材４の詳細を示す図である。図１５乃至図１７に示すように、第１遊技球誘導部材３は、表側の遊技領域に打ち出された遊技球を、当該表側の遊技領域に備えられた開口穴３０１，３０２から遊技板３２の裏側の遊技領域へ転動案内させるとともに、裏側の遊技領域に転動された遊技球を、表側の遊技領域の排出口４０１，４０３，４０５へ排出する裏通路部３００を備えている。この裏通路部３００は、少なくとも一部が透明な部材で形成されており、開口穴３０１，３０２から入球した遊技球を遊技板３２の裏側へ転動案内する誘導通路３０３，３０４と、誘導通路３０３，３０４から誘導された遊技球を遊技板３２に対して左右方向に転動案内する転動部３０５と、転動部３０５を転動した遊技球を表側の遊技領域に備えられた排出口４０１，４０３，４０５へ案内する排出通路４０２，４０４，４０６と、排出通路４０２，４０４，４０６から一旦表側の遊技領域に排出された遊技球を再び遊技板３２の裏側へ転動させるとともに、排出口４０９を介して該遊技球を所定の入賞口（例えば、始動口）へ案内する案内通路４０８とを備えている。これにより、遊技板３２の裏側では遊技球が裏通路部３００を通過することにより、弾球遊技機１は、遊技板３２の裏側を流下する遊技球によって液晶部７０ａに傷が付かないようにすることが可能な構造を持つことができる。また、液晶部７０ａから発する光が、裏通路部３００を通過する遊技球に反射するため、弾球遊技機１は、当該光の反射による演出効果も向上させることができる。
【００９０】
検出部９１（又は検出部９２）は、非接触にて遊技機が遊技球通過領域を通過したことを検出する検出部であり、本実施形態では発光部９１ａ（又は発光部９２ａ）と、受光部９１ｂ（受光部９２ｂ）とを備えている（図１１参照）。これらの発光部９１ａ（又は発光部９２ａ）及び受光部９１ｂ（受光部９２ｂ）のそれぞれは、図１１に示すように、遊技板３２の裏面に着脱自在に取り付けられたスペーサ１１０の相対向する左右の側面内に離間されて備えられている。
【００９１】
裏側の遊技領域を構成している第１遊技球誘導部材３の左右の誘導通路３０３，３０４にそれぞれ遊技球通過領域３０３ａ，３０４ａが備えられており、上述の検出部９１は、開口穴３０１，３０２から入球し、当該遊技球通過領域３０３ａ，３０４ａへ流下する遊技球を検出する。この誘導通路３０３，３０４は、発光部９１ａからの単一の光路Ｌ１上にそれぞれの遊技球通過領域３０３ａ，３０４ａが配置されるように構成されている。検出部９１は、遊技球通過領域３０３ａ，３０４ａのいずれか一つを遊技球が通過したことを検出可能にしている。
【００９２】
検出部９２は、開口穴４０７から入球し、当該遊技球通過領域４０８ａへ流下する遊技球を検出する。この遊技球通過領域４０８ａは、裏側の遊技領域を構成している第２遊技球誘導部材４の案内通路４０８内に備えられている。この案内通路４０８は、発光部９１ａからの単一の光路Ｌ２上に遊技球通過領域４０８ａが配置されるように構成されている。検出部９２は、遊技球通過領域４０８ａを遊技球が通過したことを検出可能にしている。
【００９３】
図１８は、発光部９１ａ，９２ａから発光された光が受光部９１ｂ，９２ｂによって受光されるまでの様子を示す図である。図１８に示すように、発光部９１ａからの光は、先ず発光部９１ａ寄りの誘導通路３０３に備えられた導光穴３２０から進入し、当該誘導通路３０３内の遊技球通過領域３０３ａを貫通し、もう一方の誘導通路３０４内の遊技球通過領域３０４ａを貫通し、排光穴３２１から外部に進行して受光部９１ｂによって受光される。同様にして、発光部９２ａからの光は、案内通路４０８に備えられた穴４１０から進入し、当該案内通路４０８内の遊技球通過領域４０８ａを貫通し、受光部９２ｂによって受光される。
【００９４】
したがって、受光部９１ｂが発光部９１ａからの光を受光できないときは、ＣＰＵ３１は、遊技球通過領域３０３ａ，３０４ｂのいずれか一方又は双方を遊技球が通過したものと判定し、様々な演出を実行する。同様にして、受光部９２ｂが発光部９２ａからの光を受光できないときは、ＣＰＵ３１は、遊技球通過領域４０８ａを遊技球が通過したものと判定し、様々な演出を実行する。このＣＰＵ３１が遊技球の通過検出に基づいて様々な演出表示を行うことにより、弾球遊技機１は遊技者に高い期待感を持たせることができる。
【図面の簡単な説明】
【００９５】
【図１】本実施形態における弾球式遊技機の外観を示す図である。
【図２】本実施形態における弾球式遊技機の各部を分解した様子を示す分解図である。
【図３】本実施形態における遊技盤を示す正面図である。
【図４】本実施形態における遊技盤を示す裏面図である。
【図５】本実施形態における液晶ディスプレイ部がベースドアに取り付けられた状態を示す図である。
【図６】本実施形態における遊技盤と液晶ディスプレイ部との間にスペーサが挟み込まれている様子を示す斜視図である。
【図７】本実施形態における遊技盤と液晶ディスプレイ部との間にスペーサが挟み込まれている様子を示す側面図である。
【図８】本実施形態における遊技盤の裏面にスペーサが備えられている様子を示す図である。
【図９】本実施形態における遊技盤とスペーサと球通路部と発光基板と液晶ディスプレイ部とが分解された様子を示す分解図である。
【図１０】本実施形態における正面側から見たときのスペーサを示す外観図である。
【図１１】本実施形態におけるスペーサと液晶ディスプレイ部との間の配置関係を示す図である。
【図１２】本実施形態における正面側から見たときの球通路部１２０を示す図である。
【図１３】本実施形態における球通路部と発光基板とがスペーサに取り付けられている様子を示す図である。
【図１４】本実施形態における電飾用レンズ部材がスペーサに取り付けられている様子を示す図である。
【図１５】本実施形態における第１遊技球誘導部材及び第２遊技球誘導部材の詳細を示す図である（その１）。
【図１６】本実施形態における第１遊技球誘導部材及び第２遊技球誘導部材の詳細を示す図である（その２）。
【図１７】本実施形態における第１遊技球誘導部材及び第２遊技球誘導部材の詳細を示す図である（その３）。
【図１８】本実施形態における発光部から発光された光の光路を示す図である。
【符号の説明】
【００９６】
１…弾球遊技機、３…第１遊技球誘導部材、４…第２遊技球誘導部材、４ａ…誘導路ユニット部、５…一般入賞口、６…始動口、６ａ…始動口ユニット部、７…アウト口、８…大入賞口、８ａ…大入賞口ユニット部、１０…ガラス枠、１１…前面ガラス、２０…皿部、３０…遊技盤、３０ａ…係止孔、３１…孔部、３２…遊技板、４０…発射ハンドル、６０…ベースドア、６０ｃ、６０ｆ…ヒンジ凹部、６０ｄ…開口部、６０ｅ…開口部、６０ｇ、８０ａ…ヒンジ凸部、６１…留め部材、６１ａ…板部、６１ｂ…回転部、７０…液晶ディスプレイ部、７０ａ…液晶部、７０ｂ…液晶枠、７５…スピーカ、８０…外枠、９０…第１ユニット部、１００…第２ユニット部、１１０…スペーサ、１１０ａ…第１の係止孔、１１０ｂ…第２の係止孔、１１０ｃ…貫通孔、１１１…係止片、１１２…球受け入れ孔、１１３…開口部、１１４…凹部、１１５…突出部、１１７…係止片、１２０…球通路部、１２１…通路部  １２２…差込み孔、１２３…係止孔、１２５…遊技球検出スイッチ、１２５ａ…通過孔、１３０…発光基板、１３１…発光部材、１３２…開口部、１４０…電飾用レンズ部材、１４０ａ…第１の係止片、１４０ｂ…第２の係止片、３００…裏通路部、３０１，３０２…開口穴、３０３，３０４…誘導通路、３０３ａ，３０４ａ…遊技球通過領域、３０５…転動部、３２０…導光穴、３２１…排光穴、４０１，４０３，４０５…排出口、４０２，４０４，４０６…排出通路、４０７…開口穴、４０８…案内通路、４０８ａ…遊技球通過領域、４０９…排出口、４１０…穴
【図１】
2005152580.tif 000003
【図２】
2005152580.tif 000004
【図３】
2005152580.tif 000005
【図４】
2005152580.tif 000006
【図５】
2005152580.tif 000007
【図６】
2005152580.tif 000008
【図７】
2005152580.tif 000009
【図８】
2005152580.tif 000010
【図９】
2005152580.tif 000011
【図１０】
2005152580.tif 000012
【図１１】
2005152580.tif 000013
【図１２】
2005152580.tif 000014
【図１３】
2005152580.tif 000015
【図１４】
2005152580.tif 000016
【図１５】
2005152580.tif 000017
【図１６】
2005152580.tif 000018
【図１７】
2005152580.tif 000019
【図１８】
2005152580.tif 000020